(57)【要約】【課題】番組表を表示する際に、車両が目的地に到着するまでに終了する番組を判別可能とする。【解決手段】車載放送受信機は、デジタル放送に含まれる番組表の情報を、多重分離器２８で抽出して取得する。また、ナビゲーションシステム６０から到着予測時刻の情報を取得する。そして、到着予測時刻の情報に基づいて、（１）到着予測時刻後の番組表を、到着予測時刻前の番組表と異なる配色で表示する制御、（２）番組表の到着予測時刻に線を表示する制御、または（３）到着予測時刻後の番組表を表示しない制御を行う。これにより、乗員は到着予測時刻前後の番組表を判別可能である。【選択図】        図２
2004260613.tif 000002
【特許請求の範囲】
【請求項１】
デジタル放送を受信し、この放送に含まれる番組表の情報を取得する放送受信手段と、
ナビゲーションシステムから、車両が目的地に到着する到着予測時刻の情報を取得する到着予測時刻取得手段と、
現在時刻及び前記到着予測時刻の情報に基づいて、前記番組表の表示画面上への表示を制御する表示制御手段と、を備えることを特徴とする車載放送受信機。
【請求項２】
請求項１に記載の車載放送受信機であって、
前記表示制御手段は、前記番組表の前記現在時刻及び前記到着予測時刻に区切り線を表示する制御を行うことを特徴とする車載放送受信機。
【請求項３】
請求項１に記載の車載放送受信機であって、
前記表示制御手段は、前記現在時刻から前記到着予測時刻までの番組表を、それ以外の番組表と異なる配色で表示する制御を行うことを特徴とする車載放送受信機。
【請求項４】
請求項１に記載の車載放送受信機であって、
前記表示制御手段は、前記現在時刻前の番組表及び前記到着予測時刻後の番組表を表示しない制御を行うことを特徴とする車載放送受信機。
【請求項５】
請求項４に記載の車載放送受信機であって、
前記表示制御手段は、時系列に表示される番組表のスクロールを制限することにより、前記現在時刻前の番組表及び前記到着予測時刻後の番組表を表示しないことを特徴とする車載放送受信機。
【発明の詳細な説明】
【０００１】
【発明の属する技術分野】
本発明は、車両に搭載され、デジタル放送を受信する車載放送受信機に関する。
【０００２】
【従来の技術】
現在、車両には、デジタル放送受信用の車載放送受信機が搭載されており、乗員によりテレビ番組などが視聴されている。また、放送される情報の中には番組表の情報が含まれており、車載放送受信機は、この番組表の情報を取得して画面上に番組表を表示する機能も備えている。このような車載放送受信機は、例えば、特開２００２−０５６１１０号公報、特開２００２−２９６０４９号公報、特開２００２−３２０１６７号公報などに記載されている。
【０００３】
【特許文献１】
特開２００２−０５６１１０号公報
【特許文献２】
特開２００２−２９６０４９号公報
【特許文献３】
特開２００２−３２０１６７号公報
【０００４】
【発明が解決しようとする課題】
しかしながら、上述の車載放送受信機では、単に、番組表が表示されるのみであるため、乗員は、車両が目的地に到着するまでに、どの番組を見ることが可能であるかを判別することができない、といった問題があった。その結果、番組終了前に車両が目的地に到着した場合には番組途中で降車しなければならなかったり、目的地に到着する前に番組が終了した場合には時間が余ってしまう、という事態が生じていた。
【０００５】
上記の課題を解決するために、本発明は、番組表を表示する際に、車両が目的地に到着するまでに終了する番組を判別可能とすることを目的としている。
【０００６】
【課題を解決するための手段】
上記目的を達成するために、本発明に係る車載放送受信機は、デジタル放送を受信し、この放送に含まれる番組表の情報を取得する放送受信手段と、ナビゲーションシステムから、車両が目的地に到着する到着予測時刻の情報を取得する到着予測時刻取得手段と、現在時刻及び前記到着予測時刻の情報に基づいて、前記番組表の表示画面上への表示を制御する表示制御手段と、を備えるものである。
これにより、車両の乗員は、現在から車両が目的地に到着するまでに視聴が可能である番組を判別することができる。
【０００７】
この車載放送受信機においては、前記表示制御手段は、次のように表示制御を行えばよい。例えば、前記表示制御手段は、（１）前記番組表の前記現在時刻及び前記到着予測時刻に線を表示する制御を行う。（２）前記現在時刻から前記到着予測時刻までの番組表を、それ以外の番組表と異なる配色で表示する制御を行う。または、（３）前記現在時刻前の番組表及び前記到着予測時刻後の番組表を表示しない制御を行う。ここで、番組表を表示しないために、番組表のスクロールを制限してもよい。
【０００８】
【発明の実施の形態】
以下に、図面を参照して、本発明の実施形態を説明する。
【０００９】
図１は、本実施形態に係る車載放送受信機１０の構成を示すブロック図である。放送受信機１０は、大別して、デジタル放送を受信する放送受信手段２０と、乗員により操作され入力を取得する操作スイッチ５２と、この入力に応じて表示制御を行うメイン制御部５０と、で構成される。放送受信手段２０とメイン制御部５０は、バス４２を介して接続されている。また、バス４２には、衛星からの信号をアンテナ６２で受信して現在位置を特定するナビゲーションシステム６０が接続されている。このナビゲーションシステム６０は、乗員が目的地を入力すると、車両が目的地に到着する到着予測時刻を演算する機能を備えている。
【００１０】
放送受信手段２０は、デジタル放送される情報を、放送受信用のアンテナ２２を介して受信する。受信された情報は、周波数変換器２４において低周波数の信号に変換され、復調器２６で復調される。その後、多重分離器２８において、受信信号はビデオ信号、音声信号、制御信号、番組表に関する信号などに分離され、それぞれビデオデコーダ３０、音声デコーダ３６、画面制御部３２、メイン制御部５０に送られる。ビデオデコーダ３０はビデオ信号を復号し、復号されたビデオ信号を画面制御部３２に送る。画面制御部３２は、ビデオ信号及び制御信号を取り込み、これらの信号にしたがいディスプレイ３４に映像を再生する。また、音声デコーダ３６は音声信号を復号する。復号された音声信号は、Ｄ／Ａ変換器３８においてアナログ信号に変換され、スピーカ４０に送られる。
【００１１】
メイン制御部５０は、この操作スイッチ５２を介して乗員により入力される指示情報を取得し、デジタル放送の表示チャンネルの変更、スピーカが出力する音量の調節などの様々な制御を行う。また、メイン制御部５０は、多重分離器２８から、デジタル放送に含まれる番組表の情報を取得し、乗員の入力に応じてこの番組表の情報を画面制御部３２に送信してディスプレイ３４に表示させる制御を行う。ここで、メイン制御部５０は、乗員の入力にしたがい、時系列に表示される番組表をスクロールすることにより、番組表の時間が前後する部分を表示する処理も行う。また、メイン制御部５０が所定の指令をナビゲーションシステム６０に対して送信すると、ナビゲーションシステム６０は到着予測時刻の情報をメイン制御部５０に返信するように構成されている。このメイン制御部５０が、本実施形態における到着予測時刻取得手段、及び表示制御手段となっている。
【００１２】
次に、図２のフローチャートを参照して、本実施形態の車載放送受信機１０における、番組表のディスプレイ３４への表示処理について説明する。
【００１３】
放送受信手段２０はデジタル放送を受信し、これに含まれる番組表の情報を、多重分離器２８で抽出する。この番組表の情報は、多重分離器２８からバス４２を介してメイン制御部５０に送られる（Ｓ２０１）。番組表をディスプレイ３４に表示するように、乗員により操作スイッチ５２が操作されると、メイン制御部５０はナビゲーションシステム６０に指令を送信して、ナビゲーションシステム６０から到着予測時刻の情報を取得する（Ｓ２０２）。
【００１４】
そして、メイン制御部５０は、内蔵するタイマーから得た現在時刻の情報と、到着予測時刻の情報に基づいて、番組表の表示画面上への表示を制御する（Ｓ２０３）。本実施形態では、メイン制御部５０が、番組表の現在時刻の位置と、到着予測時刻の位置に区切り線を描画して表示する制御を行う。図３のディスプレイ３４に表示された番組表を示す。番組７２は各サービス７０ごとに時系列に表示される。この番組表の現在時刻の位置には線７４が表示され、到着予測時刻の位置には線７６が表示される。このような番組表の表示制御により、車両の乗員は、現在から車両が目的地に到着するまでに視聴することができる番組を容易に判別することができる。このため、従来のように、番組終了前に車両が目的地に到着した場合には番組途中で降車しなければならなかったり、目的地に到着する前に番組が終了した場合には時間が余ってしまう、という事態を回避することができる。
【００１５】
なお、番組表の表示制御は、現在から到着までの番組を判別可能に表示するのであれば、他の制御を採用してもよい。例えば、メイン制御部５０は、現在時刻から到着予測時刻までの番組表を、それ以外の番組表と異なる配色で表示する制御を行ってもよい。配色の方法としては様々なものが考えられるが、現在時刻から到着予測時刻までをカラー表示して、それ以外の部分をグレー表示するなどしてもよい。
【００１６】
また、例えば、メイン制御部５０が、現在時刻前の番組表、及び到着予測時刻後の番組表を表示しない制御を行ってもよい。ここで、番組表を表示しない制御としては、番組表のスクロールを制限したり、番組表の描画データを消去して背景色を表示すればよい。
【００１７】
以上、本発明の好適な実施形態について説明したが、本発明は上記実施形態に限定されるものではなく、等価な範囲で様々な変形が可能である。
【００１８】
【発明の効果】
本発明の車載放送受信機は、到着予測時刻の情報に基づいて、番組表の表示画面上への表示を制御するため、車両の乗員は車両が目的地に到着するまでに終了する番組を判別することができる。
【図面の簡単な説明】
【図１】車載放送受信機の構成の概略を示すブロック図である。
【図２】番組表の表示制御のフローチャートである。
【図３】ディスプレイに表示された番組表を示す説明図である。
【符号の説明】
１０  車載放送受信機、２０  放送受信手段、２２  アンテナ、２４  周波数変換器、２６  復調器、２８  多重分離器、３０  ビデオデコーダ、３２  画面制御部、３４  ディスプレイ、３６  音声デコーダ、３８  変換器、４０  スピーカ、４２  バス、５０  メイン制御部、５２  操作スイッチ、６０  ナビゲーションシステム、６２  アンテナ。
【図１】
2004260613.tif 000003
【図２】
2004260613.tif 000004
【図３】
2004260613.tif 000005